(57)【特許請求の範囲】
【請求項１】
鉄筋籠先端に固定した沈設用フレームを囲むように取付けられた注入バッグにより杭先端の地盤をプレロードする場所打ち杭の施工方法において、
前記沈設用フレームの突起部を被覆するとともに、沈設時の孔内水の通過用の孔が形成されている袋で前記注入バッグを覆うことを特徴とする場所打ち杭の施工方法。
【請求項２】
前記袋は不透水性の素材からなることを特徴する請求項１記載の施工方法。
【発明の詳細な説明】
【０００１】
【発明の属する技術分野】
本発明は鉄筋籠の先端に注入バッグを設置して場所打ち杭を施工する方法に関する。
【０００２】
【従来の技術及び発明が解決しようとする課題】
鉄筋籠の先端に設置した注入バッグにグラウト等を注入することにより、杭先端の地盤にプレロードを与えた後、場所打ち杭を施工する方法が知られている。この施工方法では、次のような課題がある。
▲１▼注入バッグに以下（ａ）、（ｂ）、（ｃ）の現象が発生すると考えられ、それらに起因して注入バッグの基布が切れて、グラウト等が注入バッグ外に流出し、所要の加圧が行われない場合が想定される。
（ａ）杭孔孔壁地盤と注入バッグ沈設用のフレームに注入バッグが挟まれ、フレームに注入バッグの基布が引っ掛かって動きを拘束する。
（ｂ）杭孔孔壁地盤と注入バッグ沈設用のフレームに注入バッグが挟まれ、摩擦力によって注入バッグの基布の動きを拘束する。
（ｃ）注入バッグを孔底に沈設する際に、杭孔地盤等との接触により注入バッグの基布が切れる。
▲２▼注入バッグにグラウト等を注入加圧するとグラウトの脱水現象が発生する。過度の脱水は注入バッグ内でのグラウト等の目詰まりを起こし、注入バッグ内に不均一な圧力を与えることになる。それを防止するためグラウト等に分離低減材を混入しているが、分離低減材が高価である。
▲３▼注入時に注入バッグの基布が切れて注入加圧ができない場合、流出したグラウト等は地盤内の伏流水によって洗い流される場合がある。
【０００３】
【課題を解決するための手段】
本発明は上記課題を解決することを目的とし、注入バッグの基布の切れ、過度の脱水の防止、グラウト等の流出により低下した注入圧力の回復及び地盤の強化を図るようにしたものである。
そのために本発明は、鉄筋籠先端に固定した沈設用フレームを囲むように取付けられた注入バッグにより杭先端の地盤をプレロードする場所打ち杭の施工方法において、
前記沈設用フレームの突起部を被覆するとともに、沈設時の孔内水の通過用の孔が形成されている袋で前記注入バッグを覆うことを特徴とする。
また、本発明は、前記袋は不透水性の素材からなることを特徴する。
【０００４】
【発明の実施の形態】
以下、本発明の実施の形態について説明する。
図１は鉄筋籠先端の注入バッグを袋で覆う場所打ち杭の施工方法を説明する図、図２は注入バッグと袋を上下に分断した状態を模式的に示す図である。
図１において、場所打ち杭を施工する杭孔１に配設する鉄筋籠２の先端に、鋼製の注入バッグ沈設用フレーム３を番線等の固定具４で取り付ける。沈設用フレーム３を囲むように注入バッグ６が取り付けられ、さらに注入バッグ６を覆って袋５が設けられる。杭孔１の底部に鉄筋籠を下ろした状態で地上から延びる注入パイプ（図示省略）を通して注入バッグ６にグラウト等を加圧注入することにより、杭孔底部の地盤が加圧される。なお、注入バッグ６にグラウト等を加圧注入したとき、グラウト等の過度の脱水が生じないように袋５はビニールシート等の不透水性の素材を用いるようにする。
【０００５】
図２において、注入バッグを構成する上側と下側の基布（実際にはその縁が縫い合わされる）は６ａ、６ｂで示され、注入バッグの周囲を袋を構成する上側と下側の布５ａ、５ｂ（実際にはその縁が縫い合わされる）で覆い、カバーシート７を介在させて沈設用フレーム３に紐で結ぶなどして固定する。カバーシート７、袋の上側の布５ａ、注入バッグの上側基布６ａには、それぞれ注入パイプ通過用の孔８、仮固定用のテープ通過用の孔１０が所要の数、所定の寸法で開けられ、注入パイプ１１が地上から注入バッグ内まで延びてグラウト等を注入バッグ内に加圧注入され、また、仮固定用のテープ１２で注入バッグ６を沈設用フレーム３に仮固定できるようになっている。また、袋を構成する上側と下側の布５ａ、５ｂ、カバーシート７には、それぞれ中心部分に十字状に切り込みを入れて孔内水通過用の孔９が形成され、沈設時の孔内水の抵抗を減じるようにしている。
【０００６】
図３は沈設用フレームの突起部を被覆した例を示す図である。
課題のところで述べたように、孔壁地盤と沈設用のフレームに注入バッグが挟まれると、フレームに注入バッグの基布が引っ掛かり、或いは摩擦力によって注入バッグの基布の動きが拘束されたり、注入バッグの基布が切れたりする。そこで、図示するように、沈設用フレームの突起部を柔らかい素材で被覆して鋭角部分をなくす。こうして形成された被覆部１５は鋭角な突起がないため注入バッグの基布の動きを拘束したり、基布を切ったりするのを防止することができる。
【０００７】
図４は孔底において沈設用フレームが潰れて広がった状態を示す図である。
孔底において鉄筋籠の重みで沈設用フレームが潰れて広がり、グラウトの加圧注入時に注入バッグの基布が切れると図５に示すように、グラウト等２２が地盤中に流出するが、注入バッグを覆う袋の存在によってこれが最小限に抑えられる。この場合には、急結性のグラウト等２１を注入して杭体２０の下部の地盤内及び注入バッグのグラウト等の流出経路を塞ぐとともに、地盤の強化を図る。そして、急結性のグラウト等に所要の強度が発現した後に、再度グラウト等の注入加圧を行い、所要のプレロードを与えることができる。
【０００８】
【発明の効果】
以上のように本発明によれば、以下のような効果を達成することができる。
▲１▼注入バッグを袋で覆うことにより、沈設時やグラウト等の注入時に注入バッグを傷つけないようにすることができる。
▲２▼注入バッグを覆う袋に不透水性の基布を用いることにより、注入用グラウト等に混入する分離低減材の混入量を減ずることができる。
▲３▼沈設用フレームの突起部を被覆することにより、沈設時に注入バッグを傷つけず、グラウト等の注入時に注入バッグが袋内を動きやすくなり、また、沈設用フレームに引っ掛かりずらくなる。
▲４▼注入バッグが破れた場合でも袋の存在によりグラウト等の流出が最小限に抑えられ、急結性のグラウト等を注入することにより、注入圧力の回復および地盤の強化を図ることができる。
【図面の簡単な説明】
【図１】  鉄筋籠先端の注入バッグを袋で覆う場所打ち杭の施工方法を説明する図である。
【図２】  注入バッグと袋を上下に分断した状態を模式的に示す図である。
【図３】  沈設用フレームの突起部を被覆した例を示す図である。
【図４】  沈設用フレームが潰れて広がった状態を示す図である。
【図５】  急結性グラウト等の注入時の説明図である。
【符号の説明】
１…杭孔、２…鉄筋籠、３…沈設用フレーム、４…固定具、５…袋、６…注入バッグ、７…カバーシート、８…注入パイプ通過用の孔、９…孔内水通過用の孔、１０…仮固定用のテープ通過用の孔、１１…注入パイプ、１２…仮固定用のテープ、２０…杭体、２１…急結性のグラウト等、２２…注入時に地中に漏れたグラウト等。
【図１】
0003669577.tif 000002
【図２】
0003669577.tif 000003
【図３】
0003669577.tif 000004
【図４】
0003669577.tif 000005
【図５】
0003669577.tif 000006